(57)【特許請求の範囲】
【請求項１】
基板用コネクタのハウジング内に設けた端子がハウジング外部に引き出されてその引出端部が、相手側コネクタが嵌合する側に向けて突出して配線基板の導電部に導通接続する基板用コネクタの取付構造において、前記配線基板に前記ハウジングを収容するハウジング収容部を形成し、前記ハウジングは、このハウジング収容部に収容された状態で、前記相手側コネクタが嵌合する側の配線基板上に位置して相手側コネクタによる嵌合方向の荷重を前記配線基板に付与する嵌合力受部を備え、端子の引出端部は、ハウジングの側方に位置するとともに、その先端側がハウジングから離れる方向でかつ配線基板と平行な方向に屈曲形成され、この屈曲形成された先端側が配線基板の導電部上に接触可能であり、端子の屈曲形成された先端側の端部は、導電部から離れる方向に屈曲形成されていることを特徴とする基板用コネクタの取付構造。
【請求項２】
基板用コネクタは、内蔵する端子が導電部に半田付けにより接続固定されていることを特徴とする請求項１記載の基板用コネクタの取付構造。
【請求項３】
ハウジング収容部は、配線基板の外周縁部に形成した切欠凹部で構成され、ハウジングは、この切欠凹部の側方からスライド挿入可能なように、切欠凹部に収容された状態で、嵌合力受部と反対側にて配線基板上に位置するガイド部を備えていることを特徴とする請求項１または２記載の基板用コネクタの取付構造。
【請求項４】
嵌合力受部およびガイド部は、ハウジングを切欠凹部にスライド挿入する際の挿入方向前端部に、配線基板を前記嵌合力受部とガイド部との間に案内可能なテーパ面を備えていることを特徴とする請求項３記載の基板用コネクタの取付構造。
【請求項５】
端子の引出端部は、ハウジングの側方に位置する一方、ハウジング収容部内の配線基板には、前記引出端部が入り込む端子収容切欠部が、前記端子に導通する導電部を備えた形態で形成されていることを特徴とする請求項１ないし４のいずれかに記載の基板用コネクタの取付構造。
【請求項６】
嵌合力受部は、相手側コネクタが嵌合される側の配線基板上に位置する位置決め凸部で構成され、前記配線基板が装着される機器ケースは、基板用コネクタが配線基板の正規の位置に装着された状態で前記位置決め凸部が入り込む位置決め凹部を備えていることを特徴とする請求項１ないし５のいずれかに記載の基板用コネクタの取付構造。
【請求項７】
位置決め凸部および配線基板には、ハウジングと配線基板との間の位置決めを行う位置決め部が設けられていることを特徴とする請求項６記載の基板用コネクタの取付構造。
【請求項８】
位置決め部は、位置決め凸部に設けた突起と、この突起が入り込む、配線基板に設けた凹部とで構成されていることを特徴とする請求項７記載の基板用コネクタの取付構造。
【請求項９】
基板用コネクタのハウジング内に設けた端子がハウジング外部に引き出されてその引出端部が、相手側コネクタが嵌合する側に向けて突出して配線基板の導電部に導通接続する基板用コネクタの取付構造において、前記配線基板に前記ハウジングを収容するハウジング収容部を形成し、前記ハウジングは、このハウジング収容部に収容された状態で、前記相手側コネクタが嵌合する側の配線基板上に位置して相手側コネクタによる嵌合方向の荷重を前記配線基板に付与する嵌合力受部を備え、配線基板が収容される機器ケースの底部と反対側の機器ケース側に、前記配線基板に取り付けられた基板用コネクタのハウジング内部に突出するロック掛かり部を設け、前記機器ケースの底部に設けた挿入孔に挿入されて前記基板用コネクタに嵌合する相手側コネクタには、前記基板用コネクタに嵌合された状態で前記ロック掛かり部にロック係合するロック部を設け、ロック掛かり部は、機器ケース内に収容した配線基板を前記機器ケースの底部とで挟持固定する固定プレートに設けられ、相手側コネクタは、前記機器ケースの挿入孔を通して基板用コネクタに嵌合した状態で、前記挿入孔周縁の機器ケース上に位置する鍔部を備えていることを特徴とする基板用コネクタの取付構造。
【請求項１０】
固定プレートは、相手側コネクタが基板用コネクタに嵌合する際の嵌合方向の荷重を受ける嵌合力受面を備えていることを特徴とする請求項９記載の基板用コネクタの取付構造。
【請求項１１】
基板用コネクタは、内蔵する端子が導電部に半田付けにより接続固定されていることを特徴とする請求項９または１０記載の基板用コネクタの取付構造。
【発明の詳細な説明】
【０００１】
【発明の属する技術分野】
この発明は、基板用コネクタのハウジング内に設けた端子がハウジング外部に引き出されてその引出端部が、相手側コネクタが嵌合する側に向けて突出して配線基板の導電部に導通接続する基板用コネクタの取付構造に関する。
【０００２】
【従来の技術】
図１３は、基板用コネクタ１を示す斜視図で、図１４は、この基板用コネクタ１が配線基板３に取り付けられた状態を示す断面図である。基板用コネクタ１のハウジング５には、相手側コネクタ７が嵌合する嵌合孔５ａが形成され、この嵌合孔５ａには複数の雄端子１１が収容されている。雄端子１１は、ハウジング５の底部５ｂを貫通して外部に突出し、嵌合孔５ａの開口側に突出して配線基板３に対する半田１３による固定部１１ａを有するよう屈曲成形されている。
【０００３】
上記した基板用コネクタ１は、図１４に示すように、雄端子１１の固定部１１ａを配線基板３の図示しない端子挿入孔に挿入した状態で、配線基板３の導電部上に半田１３により半田付けすることで、配線基板３に取り付けられる。この状態で、相手側コネクタ７が、基板用コネクタ１と反対側から配線基板３に形成した貫通孔３ａを通して嵌合孔５ａに嵌合される。
【０００４】
基板用コネクタ１が取り付けられた配線基板３は、例えば図１５に断面図で示すような自動車用計器内に収容される。すなわち、ここでの配線基板３は、計器裏面側（図１５中で右側）の計器ケース２０１と、計器ケース２０１内に収容されている固定プレート２０３との間に挟持固定されている。固定プレート２０３は、計器ケース２０１の計器前面側の開口部を覆うように装着される見返し２０５によって固定され、見返し２０５と固定プレート２０３との間に文字板２０７が設けられている。見返し２０５の前部開口には、表ガラス２０９が装着されている。
【０００５】
上記した計器ケース２０１の基板用コネクタ１に対応する部位には、コネクタ挿入孔２０１ａが形成され、相手側コネクタ７を、このコネクタ挿入孔２０１ａから、配線基板３の貫通孔３ａを通して基板用コネクタ１の嵌合穴５ａに嵌入することで、両コネクタ相互が結合される。
【０００６】
【発明が解決しようとする課題】
しかしながら、このような従来の基板用コネクタの取付構造にあっては、基板用コネクタ１が半田付けにより配線基板３に保持されていることから、相手側コネクタ７の嵌合時に付与される荷重で、半田付け部に負担が掛かり、半田１３に亀裂が発生したり、最悪の場合には基板用コネクタ１が配線基板３から脱落する恐れもある。
【０００７】
そこで、この発明は、配線基板に取り付けられた基板用コネクタに相手側コネクタを嵌合する際の基板用コネクタの配線基板に対する保持力を高めることを目的としている。
【０００８】
【課題を解決するための手段】
前記目的を達成するために、請求項１の発明は、基板用コネクタのハウジング内に設けた端子がハウジング外部に引き出されてその引出端部が、相手側コネクタが嵌合する側に向けて突出して配線基板の導電部に導通接続する基板用コネクタの取付構造において、前記配線基板に前記ハウジングを収容するハウジング収容部を形成し、前記ハウジングは、このハウジング収容部に収容された状態で、前記相手側コネクタが嵌合する側の配線基板上に位置して相手側コネクタによる嵌合方向の荷重を前記配線基板に付与する嵌合力受部を備え、端子の引出端部は、ハウジングの側方に位置するとともに、その先端側がハウジングから離れる方向でかつ配線基板と平行な方向に屈曲形成され、この屈曲形成された先端側が配線基板の導電部上に接触可能であり、端子の屈曲形成された先端側の端部は、導電部から離れる方向に屈曲形成されている構成としてある。
【０００９】
このような構成の基板用コネクタの取付構造によれば、相手側コネクタを配線基板に取り付けた基板用コネクタに嵌合する際の基板用コネクタに付与される荷重は、ハウジングの嵌合力受部を介して配線基板に作用し、基板用コネクタにおける端子の配線基板側の導電部に対する接続部への負担が回避される。また、基板用コネクタを配線基板のハウジング収容部に収容すると、端子先端の屈曲形成された部位は、配線基板上の導電部に接触する。さらに、基板用コネクタを配線基板のハウジング収容部にスライド挿入する作業は、端子の先端側の端部の屈曲形成により、端子が配線基板に引っ掛かることなくスムーズになされる。
【００１０】
請求項２の発明は、請求項１の発明の構成において、基板用コネクタは、内蔵する端子が導電部に半田付けにより接続固定されている。
【００１１】
上記構成によれば、相手側コネクタの嵌合時に基板用コネクタに付与される荷重は嵌合力受部を介して配線基板に作用するので、基板用コネクタにおける端子の配線基板に対する半田付け部への負担が回避される。
【００１２】
請求項３の発明は、請求項１または２の発明の構成において、ハウジング収容部は、配線基板の外周縁部に形成した切欠凹部で構成され、ハウジングは、この切欠凹部の側方からスライド挿入可能なように、切欠凹部に収容された状態で、嵌合力受部と反対側にて配線基板上に位置するガイド部を備えている。
【００１３】
上記構成によれば、基板用コネクタのハウジングを配線基板の切欠凹部に収容する際には、配線基板に対し、嵌合力受部が相手側コネクタの嵌合する側に位置する一方、ガイド部がこれと反対側に位置するようにした状態で、ハウジングを配線基板の面と平行な方向にスライドさせる。
【００１４】
請求項４の発明は、請求項３の発明の構成において、嵌合力受部およびガイド部は、ハウジングを切欠凹部にスライド挿入する際の挿入方向前端部に、配線基板を前記嵌合力受部とガイド部との間に案内可能なテーパ面を備えている。
【００１５】
上記構成によれば、基板用コネクタのハウジングを配線基板の切欠凹部にスライド挿入する際には、配線基板が嵌合力受部およびガイド部に設けたテーパ面に案内される。
【００１６】
請求項５の発明は、請求項１ないし４のいずれかの発明の構成において、端子の引出端部は、ハウジングの側方に位置する一方、ハウジング収容部内の配線基板には、前記引出端部が入り込む端子収容切欠部が、前記端子に導通する導電部を備えた形態で形成されている。
【００１７】
上記構成によれば、基板用コネクタを配線基板のハウジング収容部に収容すると、端子は、引出端部が配線基板の端子収容切欠部に入り込み、導電部に導通可能となる。
【００２２】
請求項６の発明は、請求項１ないし５のいずれかの発明の構成において、嵌合力受部は、相手側コネクタが嵌合される側の配線基板上に位置する位置決め凸部で構成され、前記配線基板が装着される機器ケースは、基板用コネクタが配線基板の正規の位置に装着された状態で前記位置決め凸部が入り込む位置決め凹部を備えている。
【００２３】
上記構成によれば、基板用コネクタのハウジングを、その位置決め凸部が相手側コネクタの嵌合側の配線基板表面上となるように、配線基板のハウジング収容部に収容し、この状態で配線基板を機器ケースに装着すると、基板用コネクタが配線基板の正規の位置に取り付けられている場合には、機器ケースの位置決め凹部にハウジングの位置決め凸部が入り込み、配線基板の機器ケースへの組み込みが可能となる。一方、基板用コネクタが配線基板の正規の位置に取り付けられていない状態で、配線基板を機器ケースに装着しようとすると、位置決め凹部に位置決め凸部が入り込まず、上記装着作業ができなくなり、基板用コネクタの不完全取付状態での配線基板の機器ケースへの組み込みが未然に防止される。
【００２４】
請求項７の発明は、請求項６の発明の構成において、位置決め凸部および配線基板には、ハウジングと配線基板との間の位置決めを行う位置決め部が設けられている。
【００２５】
上記構成によれば、基板用コネクタを配線基板に取り付ける際には、位置決め部によってこれら両者相互の位置関係が正規なものとなる。
【００２６】
請求項８の発明は、請求項７の発明の構成において、位置決め部は、位置決め凸部に設けた突起と、この突起が入り込む、配線基板に設けた凹部とで構成されている。
【００２７】
上記構成によれば、基板用コネクタを配線基板に取り付ける際に、基板用コネクタの突起が配線基板の凹部に入り込むことで、両者相互が正規の位置関係となる。
【００２８】
請求項９の発明は、基板用コネクタのハウジング内に設けた端子がハウジング外部に引き出されてその引出端部が、相手側コネクタが嵌合する側に向けて突出して配線基板の導電部に導通接続する基板用コネクタの取付構造において、前記配線基板に前記ハウジングを収容するハウジング収容部を形成し、前記ハウジングは、このハウジング収容部に収容された状態で、前記相手側コネクタが嵌合する側の配線基板上に位置して相手側コネクタによる嵌合方向の荷重を前記配線基板に付与する嵌合力受部を備え、配線基板が収容される機器ケースの底部と反対側の機器ケース側に、前記配線基板に取り付けられた基板用コネクタのハウジング内部に突出するロック掛かり部を設け、前記機器ケースの底部に設けた挿入孔に挿入されて前記基板用コネクタに嵌合する相手側コネクタには、前記基板用コネクタに嵌合された状態で前記ロック掛かり部にロック係合するロック部を設け、ロック掛かり部は、機器ケース内に収容した配線基板を前記機器ケースの底部とで挟持固定する固定プレートに設けられ、相手側コネクタは、前記機器ケースの挿入孔を通して基板用コネクタに嵌合した状態で、前記挿入孔周縁の機器ケース上に位置する鍔部を備えている。
【００２９】
上記構成によれば、相手側コネクタを基板用コネクタに嵌合すると、相手側コネクタのロック部が、機器ケース側のロック掛かり部に係合する。また、相手側コネクタを基板用コネクタに嵌合すると、相手側コネクタは、鍔部が機器ケースの表面を押さえる一方、ロック部が固定プレートに係合し、これにより相手側コネクタによって計器ケースと固定プレートとの間の結合が強固となる。
【００３０】
請求項１０の発明は、請求項９の発明の構成において、固定プレートは、相手側コネクタが基板用コネクタに嵌合する際の嵌合方向の荷重を受ける嵌合力受面を備えている。
【００３１】
上記構成によれば、相手側コネクタの嵌合時に基板用コネクタに付与される荷重は、嵌合力受面にも作用し、基板用コネクタにおける端子の配線基板側の導電部に対する接続部への負担がより一層回避される。
【００３２】
請求項１１の発明は、請求項９または１０の発明の構成において、基板用コネクタは、内蔵する端子が導電部に半田付けにより接続固定されている。
【００３３】
上記構成によれば、相手側コネクタの嵌合時に基板用コネクタに付与される荷重は嵌合力受部を介して配線基板に作用するので、基板用コネクタにおける端子の配線基板に対する半田付け部への負担が回避される。
【００３４】
【発明の実施の形態】
以下、この発明の実施の形態を図面に基づき説明する。
【００３５】
図１は、この発明の第１の実施の形態を示す基板用コネクタの取付構造の分解斜視図で、雄コネクタである基板用コネクタ１５は、図中で上部が開口したハウジング１７を備え、このハウジング１７の嵌合穴１７ａに、雌コネクタである相手側コネクタ１９が嵌合される。
【００３６】
嵌合穴１７ａ内には、相手側コネクタ１９の雌端子に導通する端子としての雄端子２１が収容されている。雄端子２１は、嵌合穴１７ａ内の底面を貫通して下方に突出し、ハウジング１７の外部へ引き出されて側方に向けて屈曲し、さらに上方に向けて屈曲して引出端部２１ａを構成している。
【００３７】
上記した基板用コネクタ１５は、例えば図示しない自動車用計器の計器ケース内に収容される配線基板２３の外周縁部に形成したハウジング収容部としての切欠凹部２５に収容されて取り付けられる。図２は、基板用コネクタ１５が切欠凹部２５に収容されて取り付けられた状態の正面断面図、図３は、同側面断面図である。
【００３８】
基板用コネクタ１５のハウジング１７は、長手方向両端部の開口側端部に、切欠凹部２５に収容された状態で配線基板２３を上下から挟持するような一対の基板ガイド２７，２９が形成されている。このうち図中で上部側の基板ガイド２７は、図２に示すように、基板用コネクタ１５が切欠凹部２５に収容された状態で、相手側コネクタ１９が嵌合する側の配線基板２３上に位置して相手側コネクタ１９の嵌合方向の荷重Ｆを受ける嵌合力受部を構成している。一方、下部側の基板ガイド２９は、ハウジング１７を切欠凹部２５の側方からスライド挿入可能なように、ハウジング１７が切欠凹部２５に収容された状態で、配線基板２３に対して嵌合力受部と反対側にて配線基板２３上に位置するガイド部を構成している。
【００３９】
基板ガイド２７，２９は、ハウジング１７を切欠凹部２５にスライド挿入する際の挿入方向前端部に、配線基板２３を基板ガイド２７，２９相互間に案内可能なテーパ面２７ａ，２９ａをそれぞれ備えている。また、基板ガイド２７，２９相互間のハウジング１７の側面には係合凸部３１が形成され、これに対応して配線基板２３の切欠凹部２５の両側縁にも、係合凸部３３がそれぞれ形成されている。すなわち、基板用コネクタ１５を切欠凹部２５に収容して取り付けた図２および図３の状態では、基板用コネクタ１５側の係合凸部３１が配線基板２３側の係合凸部３３より挿入方向前方側に位置し、これにより基板用コネクタ１５の配線基板２３からの抜け止めがなされる。
【００４０】
基板用コネクタ１５の引出端部２１ａが引き出されている側のハウジング１７の側面には、基板受部３５が形成され、引出端部２１ａはこの基板受部３５に形成した小孔３５ａを通して上部に突出している。基板用コネクタ１５を配線基板２３の切欠凹部２５に取り付けた状態では、図３に示すように、基板受部３５は配線基板２３の下部に位置している。
【００４１】
基板用コネクタ１５を配線基板２３の切欠凹部２５に取り付けた状態で、引出端部２１ａに対応する切欠凹部２５の側縁には、端子収容切欠部３７が形成されている。端子収容切欠部３７の周囲には、配線基板２３上の回路パターン３９に導通している導電部４１が形成されている。引出端部２１ａが端子収容切欠部３７に収容された状態で、図３に示すように、導電部４１に半田４３を形成することで、導電部４１と雄端子２１とが電気的に導通接続される。
【００４２】
次に作用を説明する。図１の状態から基板用コネクタ１５を配線基板２３の切欠凹部２５に取り付ける際には、切欠凹部２５における配線基板２３の両側縁が基板ガイド２７，２９相互間に入り込むように配線基板２３に対してスライド挿入し、これにより図２および図３に示す状態となる。
【００４３】
基板用コネクタ１５の配線基板２３への取り付けは、単にスライド挿入すればよく、ねじなどの固定具も不要であり、低コストで取付作業性の優れた基板用コネクタの取付構造となる。また、上記スライ挿入時には、基板ガイド２７，２９の挿入方向前端部にテーパ面２７ａ，２９ａが形成されているので、スライド挿入作業が確実かつ容易となる。
【００４４】
雄端子２１の引出端部２１ａは、上記スライド挿入作業により、配線基板２３の端子収容切欠部３７に入り込み、その周囲の導電部４１に半田付けすれば、雄端子２１と導電部４１との電気的接続が可能となり、接続作業が容易である。
【００４５】
基板用コネクタ１５が配線基板２３に取り付けられた図２および図３に示す状態で、相手側コネクタ１９を基板用コネクタ１５に嵌合する際には、その嵌合方向の荷重Ｆが基板用コネクタ１５に付与される。ところがこの荷重Ｆは、ハウジング１７の上部側の基板ガイド２７を介して配線基板２３に作用するので、引出端部２１ａと導電部４１とを導通接続する半田４３への大きな負担が回避され、半田４３の亀裂発生が防止される。
【００４６】
逆に、基板用コネクタ１５に嵌合されている相手側コネクタ１９を引き抜く際には、その引き抜く方向の力（上記荷重Ｆと反対方向の力）は、ハウジング１７の下部側の基板ガイド２９を介して配線基板２３に作用する。このため、相手側コネクタ１９を引き抜く際にも半田４３には大きな負担が掛からず、半田４３の亀裂発生が防止される。
【００４７】
上記したように、半田４３の亀裂発生が防止されることから、基板用コネクタ１５の配線基板２３からの脱落が防止され、信頼性の高い基板用コネクタの取付構造が得られる。
【００４８】
図４は、この発明の第２の実施の形態に係わる基板用コネクタの取付構造を示す基板用コネクタ４５と配線基板４７との分解斜視図で、図５は、さらに機器ケースとして自動車用計器における計器ケース４９をも加えた分解側面図である。なお、ここでの基板用コネクタ４５は、内部構造がわかるように一側部を破断して示してある。上記した配線基板４７および計器ケース４９は、前記図１５に示した自動車用計器の断面図で示したものとほぼ同様な配置構成で組み付けられるものとする。
【００４９】
図４に示すように、基板用コネクタ４５は、図中で上部が開放したハウジング５１を備え、このハウジング５１の嵌合穴５１ａ内に、相手側コネクタ６９（図６参照）が嵌合する。
【００５０】
嵌合穴５１ａ内には、相手側コネクタ６９の雌端子に導通する雄端子５３が収容されている。雄端子５３は、嵌合穴５１ａ内の底面を貫通して下方に突出し、ハウジング外部へ引き出されて側方に向けて屈曲し、さらに上方に向けて屈曲して引出端部５３ａを構成している。引出端部５３ａの上端は、ハウジング５１の上端面５１ｂより上方に突出し、配線基板４７側に向けて屈曲して配線基板４７への接合部５３ｂを構成している。接合部５３ｂは、ハウジング５１を配線基板４７へ取り付けた状態で配線基板４７に対して平行で、かつ配線基板４７の上面に密接するよう設定されており、その先端側の端部は、僅かに上方に向けて屈曲している。
【００５１】
ハウジング５１の長手方向両端部における上端面５１ｂには、その幅方向ほぼ中央部に位置決め凸部５５が設けられている。位置決め凸部５５は、上端面５１ｂ上からこの面に対して平行でかつ外方向へ突出する規制部５５ａを備えている。規制部５５ａは、ハウジング５１を配線基板４７に取り付けた状態で配線基板４７の上面に位置することになり、これによりハウジング５１の配線基板４７に対する下方への移動が規制される。つまり、規制部５５ａは、相手側コネクタ６９の嵌合方向の荷重Ｆを配線基板４７に付与する嵌合力受部を構成している。
【００５２】
上記規制部５５ａの下面に対し配線基板４７のほぼ板厚分隔てた下方のハウジング５１の側壁の幅方向両端部には、基板ガイド部５７が設けられている。すなわち、基板用コネクタ４５を配線基板４７に取り付けた状態では、配線基板４７は、規制部５５ａと基板ガイド部５７との間に挿入された状態となる。つまり、基板ガイド部５７は、配線基板４７に対し嵌合力受部と反対側にて配線基板４７上に位置するガイド部を構成している。
【００５３】
上記規制部５５ａおよび基板ガイド部５７の配線基板４７への挿入方向前端側の相互に対向する側には、配線基板４７を規制部５５ａと基板ガイド５７との間に案内可能なテーパ面５５ｂおよびテーパ面５７ａがそれぞれ形成されている。また、規制部５５ａの下面には、突起５５ｃが形成されている。
【００５４】
配線基板４７の外周縁部４７ａには、基板用コネクタ４５のハウジング５１が、その外周面がほぼ接触した状態で収容されるハウジング収容部となる切欠凹部５９が形成されている。
【００５５】
上記切欠凹部５９の内面のハウジング５１の長手方向の側面に対向する部位には、雄端子５３の引出端部５３ａが入り込む端子収容切欠部４７ｂが形成されている。この端子収容切欠部４７ｂの周囲の配線基板４７上には、回路パターン６１に接続される導電部６３が形成されている。この導電部６３に、雄端子５３の接合部５３ｂが接触した状態で半田付けがなされる。
【００５６】
また、上記配線基板４７の、ハウジング５１側の規制部５５ａに設けた突起５５ｃに対応する部位には、突起５５ｃが入り込んで基板用コネクタ４５と配線基板４７との位置決めがなされる凹部としての位置決め孔４７ｃが形成されている。すなわち、この位置決め孔４７ｃと突起５５ｃとで位置決め部を構成している。
【００５７】
図５に示すように、配線基板４７が組み込まれる計器ケース４９側には、配線基板４７に向けて突出し、その先端面６５ａが配線基板４７に密着する固定用ボス部６５が形成されている。この固定用ボス部６５は、配線基板４７に正規な状態で取り付けられた基板用コネクタ４５のハウジング５１における二つの位置決め凸部５５周辺に対応して設けられ、上記正規な状態にて位置決め凸部５５が収容される位置決め凹部６５ｂを備えている。
【００５８】
次に、作用を説明する。まず、基板用コネクタ４５のハウジング５１を、位置決め凸部５５の規制部５５ａと基板ガイド部５７との間に配線基板４７が入り込むように、図４および図５中の矢印Ａで示す方向にスライドさせて、配線基板４７の切欠凹部５９に収容する。このとき、規制部５５ａおよび基板ガイド部５７には、テーパ面５５ｂ，５７ａがそれぞれ形成されているので、規制部５５ａと基板ガイド部５７との間への配線基板４７の挿入作業が確実容易となる。
【００５９】
上記挿入作業の際には、規制部５５ａの下面に形成した突起５５ｃが配線基板４７の位置決め孔４７ｃに入り込んで、ハウジング５１と配線基板４７とが正規の位置関係にて相互に位置決めされる。これと同時に、雄端子５３の引出端部５３ａが配線基板４７の端子収容切欠部４７ｂに入り込み、その先端の接合部５３ｂが配線基板４７上の導電部６３に接触する。
【００６０】
そして、この導電部６３付近を、図６に示すように、半田６７により固定することで、基板用コネクタ４５は配線基板４７に実装固定されることとなる。この場合、引出端部５３ａ先端の屈曲した接合部５３ｂが、これに対応して広く形成した導電部６３に接触するので、半田代が広くなり、半田強度が高まるとともに、電気的接続信頼性も向上する。
【００６１】
上記引出端部５３ａにおける接合部５３ｂの先端側は、配線基板４７の表面から離れる方向に屈曲形成されているので、ハウジング５１の切欠凹部５９への挿入作業の際に、接合部５３ｂは導線部６３上に容易に案内されて導電部６３への接触が確実となり、前記テーパ面５５ｂ，５７ａによる作用効果と合わせて、基板用コネクタ４５の切欠凹部５９への挿入作業が確実容易となる。
【００６２】
この状態で、配線基板４７を計器ケース４９に装着すると、図６に示すように、計器ケース４９側の位置決め凹部６５ｂにハウジング５１側の位置決め凸部５５が入り込み、基板用コネクタ４５が配線基板４７に対して正規の位置に取り付けられた状態で、配線基板４７が計器ケース４９に組み込まれることとなる。
【００６３】
配線基板４７が計器ケース４９に装着されると、相手側コネクタ６９が、計器ケース４９に設けたコネクタ挿入孔４９ａを通して基板用コネクタ４５に嵌合接続可能となる。この嵌合作業時における相手側コネクタ６９の基板用コネクタ４５へ付与する荷重Ｆは、ハウジング５１における位置決め凸部５５の規制部５５ａを介して配線基板４７に作用するので、雄端子５３を接続している半田６７には大きな負担が掛からず、また基板用コネクタ４５に嵌合した状態の相手側コネクタ６９を引き抜く際についても、この引き抜き方向の荷重がハウジング５１のガイド部５７を介して配線基板４７に作用するので、半田６７には大きな負担が掛からず、このため半田６７の亀裂を防止でき、基板用コネクタ４５の脱落という最悪の事態も回避される。
【００６４】
さらに、ハウジング５１と配線基板４７との間で、図６中で左右方向に外力を受けたり熱収縮や熱膨張が発生した場合には、位置決め凹部６５ｂ内に入り込んでいる位置決め凸部５５が受け、半田６７には大きな応力が掛からず、半田６７の亀裂は回避される。
【００６５】
一方、図７は、基板用コネクタ４５のハウジング５１の配線基板４７における切欠凹部５９内への押し込み量が不充分で、位置決め凸部５５の規制部５５ａ下面に形成した突起５５ｃが、配線基板４７上に位置したまま位置決め孔４７ｃに入り込まず、基板用コネクタ４５が配線基板４７に対して不完全に取り付けられている状態を示している。
【００６６】
この状態で配線基板４７を計器ケース４９に装着しようとすると、計器ケース４９におけるボス部６５の先端面６５ａが位置決め凸部５５に当接し、この位置決め凸部５５が、計器ケース４９の位置決め凹部６５ｂに入り込まない状態となり、配線基板４７の計器ケース４９への装着ができないものとなる。すなわち、基板用コネクタ４５が配線基板４７に対して不完全に取り付けられた状態での配線基板４７の計器ケース４９への組み込みが未然に防止される。
【００６７】
図８は、この発明の第３の実施の形態を示している。この実施の形態は、前記図４に示した第２の実施の形態における配線基板４７の端子収容切欠部４７ｂを廃止したもので、その他の構成は、図４のものと同様であり、図４と同一の構成要素には同一符号を付してある。
【００６８】
配線基板４７に端子収容切欠部４７ｂが形成されていると、この部位から亀裂が発生する恐れがあり、このため端子収容切欠部４７ｂを廃止することで、このような不具合が解消されるとともに、その分加工工数が削減されてコスト低下が図れる。また、この実施の形態でも前記図４の場合と同様に、雄端子５３は屈曲した接合部５３ｂが導電部６３に接触するので、半田代を広くとれ、半田強度が高まるとともに、電気的接続信頼性も向上する。
【００６９】
図９は、この発明の第４の実施の形態を示す基板用コネクタの取付構造の分解斜視図、図１０は、この取付構造を備えた自動車用計器の断面図である。図１０において、機器ケースとしての計器ケース７１は、図中で左側の前面側が開口しており、この開口側から、相互に組み付けた配線基板７３および固定プレート７５を計器ケース７１内に収容することで、固定プレート７５と計器ケース７１の底部との間に配線基板７３が配置される。
【００７０】
固定プレート７５の配線基板７３と反対側の表面上には、文字板７７が配置され、文字板７７は、計器ケース７１の前面側の開口部を覆うように装着される見返し７９によって挟時固定される。この見返し７９の前面側には、さらに表ガラス８１が装着されている。
【００７１】
配線基板７３には、指針８３を文字板７７上で回転駆動するムーブメント８５、指針８３を照明する照明用バルブ８７、警告表示用の意匠部などを照明するバルブ８９が、それぞれ取り付けられている。照明用バルブ８７の光は、文字板７７の裏面に装着された導光板９１を介して指針８３に送られる。
【００７２】
さらに、上記配線基板７３の図１０中で上部側には、基板用コネクタ９３が取り付けられている。基板用コネクタ９３は、図９に示すように、ハウジング９５が、相手側コネクタ９７が嵌合する嵌合穴９５ａを備え、この嵌合穴９５ａ内に複数の雄端子９９が収容されている。雄端子９９は、ハウジング９５の底部９５ｂを貫通して外部に露出し、嵌合穴９５ａの開口側に突出する引出端部９９ａを備えている。ただし、雄端子９９は、ハウジング９５の背面９５ｃと同一面となるよう露出するか、あるいは底部９５ｂ内に埋没するものとし、背面９５ｃより突出しないものとする。
【００７３】
一方、配線基板７３にはハウジング収容部としての貫通孔１０１が形成され、この貫通孔１０１に基板用コネクタ９３を挿入することで、ハウジング９５の開口側全周に形成したフランジ１０３が配線基板７３上に位置して配線基板７３に保持されることとなる。
【００７４】
配線基板７３の貫通孔１０１の一側縁には、端子９９の引出端部９９ａに対応してこの引出端子９９ａが入り込む端子収容切欠部１０１ａが形成されている。この端子収容切欠部１０１ａの先端側周囲には、回路パターン１０５に導通する導電部１０７が形成され、引出端部９９ａは、端子収容切欠部１０１ａに収容された状態で、図１０に示すように半田１０９により半田付けされる。
【００７５】
基板用コネクタ９３のハウジング９５における幅方向両側の下部には、ロック掛かり部収容孔９５ｄが形成されている。一方、図１０に示すように、固定プレート７５には、基板用コネクタ９３のハウジング９５の背面９５ｃが当接するコネクタ突当部７５ａが形成され、このコネクタ突当部７５ａには、上記ロック掛かり部収容孔９５ｄに収容される舌片状のロック掛かり部１１１が形成されている。ロック掛かり部１１１には、ロック孔１１１ａが設けられている。
【００７６】
一方、相手側コネクタ９７の両側面には、ロック部としてのロック爪１１３が設けられている。ロック爪１１３は、図９中で下端が相手側コネクタ９７のコネクタ本体に一体成形されて上端側が同コネクタ本体の側面に対して図９の状態から接近離反する方向に弾性変形可能なロックアーム１１５の表面に一体成形されている。
【００７７】
相手側コネクタ９７を、配線基板７３に取り付けられている基板用コネクタ９３に嵌合すると、上記ロック爪１１３がハウジング９５内に突出している固定プレート７５側のロック掛かり部１１１のロック孔１１１ａに係合する。また、相手側コネクタ９７の長手方向両側部の上端には、鍔部１１７が形成されており、この相手側コネクタ９７を計器ケース７１のコネクタ挿入孔７１ａを通して基板用コネクタ９３に嵌合すると、図１１に示すように、上記鍔部１１７が計器ケース７１の表面に密着する。
【００７８】
上記計器ケース７１のコネクタ挿入孔７１ａの周縁には、内部に向けて屈曲するリブ１１９が形成されており、このリブ１１９の先端（図１１中で下端）が、基板用コネクタ９３のハウジング９５におけるフランジ１０３の表面に当接する。
【００７９】
次に作用を説明する。図１０は、計器ケース７１内に配線基板７３および固定プレート７５が正規の状態で組み付けられており、この状態で相手側コネクタ９７を基板用コネクタ９３に嵌合すると、相手側コネクタ９７のロック爪１１３が固定プレート７５のロック掛かり部１１１に接触してロックアーム１１５が図１０中で下方に撓み、ロック爪１１３がロック孔１１１ａに入り込んで図１１に示す状態となる。
【００８０】
この嵌合作業時での嵌合方向の基板用コネクタ９３に付与される荷重は、基板用コネクタ９３のフランジ１０３を介して配線基板７３に作用するので、半田１０９には大きな負担は掛からず、半田１０９の亀裂が回避される。このため、上記フランジ１０３は、相手側コネクタ９７が嵌合する側の配線基板７３上に位置して相手側コネクタ９７の嵌合方向の荷重を配線基板７３に付与する嵌合力受部を構成している。
【００８１】
また、上記嵌合作業時には、基板用コネクタ９３のハウジング９５の背面９５ｃが、固定プレート７５の嵌合力受面を構成するコネクタ突当部７５ａに当接しているので、上記嵌合方向の荷重は、このコネクタ突当部７５ａに作用し、このため半田１０９への負担はより一層軽減され、基板用コネクタ９３の配線基板７３からの脱落を確実に防止できる。
【００８２】
逆に、基板用コネクタ９３に嵌合されている相手側コネクタ９７を引き抜く際には、この引き抜き方向の荷重は、固定プレート７５側のロック孔１１１ａに係合しているロック爪１１３が受けるので、この場合においても半田１０９には大きな負担が掛からず、半田１０９の亀裂は回避される。
【００８３】
また、図１１に示すように、相手側コネクタ９７が基板用コネクタ９３に嵌合した状態では、相手側コネクタ９７のロック爪１１３が固定プレート７５側のロック孔１１１ａに係合すると同時に、相手側コネクタ９７の鍔部１１７が計器ケース７１の表面に接触するので、計器ケース７１と固定プレート７５との間の結合が強固なものとなり、自動車用計器として信頼性が向上する。
【００８４】
図１１に示す正規の組み付け状態に対し、図１２は、配線基板７３と固定プレート７５（コネクタ突当部７５ａ）との間の間隔Ｔが広く、正規に組み付けられていない状態を示している。このような状態では、相手側コネクタ９７を基板用コネクタ９３に嵌合しても、ロック爪１１３が固定プレート７５側のロック孔１１１ａに届かず、両者の係合は不可能となる。
【００８５】
また、図１２では、配線基板７３と固定プレート７５（コネクタ突当部７５ａ）との間の間隔Ｔが広くなった状態であるが、配線基板７３と計器ケース７１との間の間隔Ｓが正規の状態より広くなった場合でも、上記した両者の係合は不可能となる。
【００８６】
これにより、自動車用計器における不完全の組み付け状態が、上記ロック爪１１３とロック孔１１１ａとの係合の有無で検知でき、不完全な組み付け状態での製品出荷が回避される。
【００８７】
【発明の効果】
以上説明してきたように、請求項１の発明によれば、相手側コネクタを、配線基板に取り付けた基板用コネクタに嵌合する際には、その嵌合方向の基板用コネクタに付与される荷重が、基板用コネクタにおけるハウジングの嵌合力受部を介して配線基板に作用するので、基板用コネクタにおける端子の配線基板側の導電部に対する接続部へ掛かる負担を回避でき、導通接続部の信頼性が向上する。また、基板用コネクタを配線基板のハウジング収容部に収容すると、端子先端の屈曲形成された部位が、配線基板上の導電部に接触するので、端子と導電部の接触代が広くなり、電気的接続信頼性が向上する。さらに、基板用コネクタを配線基板のハウジング収容部にスライド挿入する作業は、端子が先端側の端部の屈曲形成により配線基板に引っ掛かることなくスムーズに行うことができる。
【００８８】
請求項２の発明によれば、相手側コネクタの嵌合時に基板用コネクタに付与される荷重は嵌合力受部を介して配線基板に作用するので、基板用コネクタの配線基板に対する半田付け部への負担が回避され、半田の亀裂を回避できて、基板用コネクタの配線基板からの脱落という最悪の事態を防止できる。
【００８９】
請求項３の発明によれば、基板用コネクタのハウジングを配線基板の切欠凹部に収容した状態では、配線基板に対し、嵌合力受部が相手側コネクタの嵌合する側に位置する一方、ガイド部がこれと反対側に位置するので、相手側コネクタを基板用コネクタから引き抜く際においても、この引き抜き方向の荷重がガイド部を介して配線基板に作用し、基板用コネクタの端子の配線基板側の導電部に対する接続部へ掛かる負担を回避できる。また、基板用コネクタは、嵌合力受部とガイド部とによって配線基板を挟持するようにして配線基板に保持されるので、ねじなどの固定具が不要となり、組み付け作業性の向上およびコスト低下が達成できる。
【００９０】
請求項４の発明によれば、嵌合力受部およびガイド部は、ハウジングを切欠凹部にスライド挿入する際の挿入方向前端部に、配線基板を嵌合力受部とガイド部との間に案内可能なテーパ面を備えているので、ハウジングを切欠凹部にスライド挿入する作業が極めて容易なものとなる。
【００９１】
請求項５の発明によれば、端子の引出端部は、ハウジングの側方に位置する一方、ハウジング収容部内の配線基板には、引出端部が入り込む端子収容切欠部が、端子に導通する導電部を備えた形態で形成されているので、基板用コネクタを配線基板のハウジング収容部に収容すると、端子は、引出端部が配線基板の端子収容切欠部に入り込んで導電部に導通可能となり、導電部への導通接続作業が容易となる。
【００９４】
請求項６の発明によれば、基板用コネクタを配線基板の正規の位置にセットした場合には、機器ケースの位置決め凹部に、基板用コネクタのハウジングの位置決め凸部が入り込み、配線基板の機器ケースへの組み込みが可能となる一方、基板用コネクタが配線基板の正規の位置にセットされていない状態で、配線基板を機器ケースに装着しようとすると、位置決め凹部に位置決め凸部が入り込まず、上記装着作業ができなくなり、基板用コネクタの不完全取付状態での配線基板の機器ケースへの組み込みを未然に防止できる。
【００９５】
請求項７の発明によれば、位置決め凸部と配線基板との間には、ハウジングと配線基板との位置決めを行う位置決め部が設けられているので、基板用コネクタを配線基板に取り付ける際には、位置決め部によってこれら両者相互の位置関係を正規なものとすることができる。
【００９６】
請求項８の発明によれば、位置決め部は、位置決め凸部に設けた突起と、この突起が入り込む、配線基板に設けた凹部とで構成されているので、基板用コネクタを配線基板に取り付ける際に、基板用コネクタ側の突起が配線基板の凹部に入り込むことで、両者相互を正規の位置関係とすることができる。
【００９７】
請求項９の発明によれば、配線基板が装着される機器ケース側に、配線基板に取り付けられた基板用コネクタのハウジング内部に突出するロック掛かり部を設け、相手側コネクタには、基板用コネクタに嵌合された状態でロック掛かり部にロック係合するロック部を設けたため、相手側コネクタを基板用コネクタから引き抜く際の荷重は、ロック掛かり部に係合しているロック部が受け、基板用コネクタにおける端子の配線基板側の導電部に対する接続部へ掛かる負担を回避できる。また、相手側コネクタを基板用コネクタに嵌合すると、相手側コネクタは、鍔部が機器ケースの表面を押さえる一方、ロック部が固定プレート側のロック掛かり部に係合するので、相手側コネクタを基板用コネクタに嵌合することによって、計器ケースと固定プレートとの間の結合を強固なものとすることができる。
【００９８】
請求項１０の発明によれば、固定プレートは、相手側コネクタが基板用コネクタに嵌合する際の嵌合方向の荷重を受ける嵌合力受面を備えているので、相手側コネクタの嵌合時に基板用コネクタに付与される荷重は嵌合力受面が受け、基板用コネクタの端子の配線基板側の導電部に対する接続部へ掛かる負担を回避できる。
【００９９】
請求項１１の発明によれば、相手側コネクタの嵌合時に基板用コネクタに付与される荷重は嵌合力受部を介して配線基板に作用するので、基板用コネクタの配線基板に対する半田付け部への負担が回避され、半田の亀裂を回避できて、基板用コネクタの配線基板からの脱落という最悪の事態を防止できる。
【図面の簡単な説明】
【図１】この発明の第１の実施の形態を示す基板用コネクタの取付構造の分解斜視図である。
【図２】図１における基板用コネクタが切欠凹部に取り付けられた状態の正面断面図である。
【図３】図１における基板用コネクタが切欠凹部に取り付けられた状態の側面断面図である。
【図４】この発明の第２の実施の形態を示す基板用コネクタの取付構造の分解斜視図である。
【図５】図４の基板用コネクタの取付構造にて自動車用計器の計器ケースをも加えた分解側面である。
【図６】図４の基板用コネクタの取付構造において、基板用コネクタが配線基板の正規の位置に取り付けられた状態を示す動作説明図である。
【図７】図４の基板用コネクタの取付構造において、基板用コネクタが配線基板の正規の位置に取り付けられていない状態を示す動作説明図である。
【図８】この発明の第３の実施の形態を示す基板用コネクタの取付構造の分解斜視図である。
【図９】この発明の第４の実施の形態を示す基板用コネクタの取付構造の分解斜視図である。
【図１０】図９の基板用コネクタの取付構造を備えた自動車用計器の断面図である。
【図１１】図９の基板用コネクタの取付構造において正規に組み付けられた状態を示す側面図である。
【図１２】図９の基板用コネクタの取付構造において正規に組み付けられていない状態を示す側面図である。
【図１３】従来の基板用コネクタの取付構造に使用される基板用コネクタの斜視図である。
【図１４】従来の基板用コネクタの取付構造を示す断面図である。
【図１５】図１４の基板用コネクタの取付構造が適用された自動車用計器の断面図である。
【符号の説明】
１５，４５，９３  基板用コネクタ
１７，５１，９５  ハウジング
１９，６９，９７  相手側コネクタ
２１，５３，９９  雄端子（端子）
２１ａ，５３ａ，９９ａ  引出端部
２３，４７，７３  配線基板
２５，５９  切欠凹部（ハウジング収容部）
２７  基板ガイド（嵌合力受部）
２７ａ，２９ａ  テーパ面
２９  基板ガイド（ガイド部）
３７，４７ｂ，１０１ａ  端子収容切欠部
４１，６３，１０７  導電部
４３，６７，１０９  半田
４７ｃ  位置決め孔（凹部、位置決め部）
４９，７１  計器ケース（機器ケース）
５５ａ  規制部（嵌合力受部）
５５  位置決め凸部
５５ｂ，５７ａ  テーパ面
５５ｃ  突起（位置決め部）
６５ｂ  位置決め凹部
７１ａ  コネクタ挿入孔
７５  固定プレート
７５ａ  コネクタ突当部（嵌合力受面）
１０１  貫通孔（ハウジング収容部）
１０３  フランジ（嵌合力受部）
１１１  ロック掛かり部
１１３  ロック爪（ロック部）
１１７  鍔部
【図１】
0003798183.tif 000002
【図２】
0003798183.tif 000003
【図３】
0003798183.tif 000004
【図４】
0003798183.tif 000005
【図５】
0003798183.tif 000006
【図６】
0003798183.tif 000007
【図７】
0003798183.tif 000008
【図８】
0003798183.tif 000009
【図９】
0003798183.tif 000010
【図１０】
0003798183.tif 000011
【図１１】
0003798183.tif 000012
【図１２】
0003798183.tif 000013
【図１３】
0003798183.tif 000014
【図１４】
0003798183.tif 000015
【図１５】
0003798183.tif 000016